(57)【特許請求の範囲】
【請求項１】
ケーブル類を内挿した状態で長手方向に屈曲自在に多数連結されたリンク体が、前記ケーブル類の両側に配置された一対の側面板と該側面板の屈曲外周側および屈曲内周側にそれぞれ架橋された連結杆とによって構成され、前記側面板の各々が、隣り合うリンク体の側面板と摺接しているケーブル類保護案内装置において、
少なくとも前記側面板が、導電性を有する合成樹脂によって構成されていると共に、隣り合うリンク体の側面板との摺接部分に導電部材を配設されていることを特徴とするケーブル類保護案内装置。
【請求項２】
前記導電部材が金属からなることを特徴とする請求項１記載のケーブル類保護案内装置。
【請求項３】
前記側面板が摺接部分にピンを、隣り合う前記リンク体の前記側面板がピン孔を有し、前記リンク体の各々が前記ピンと前記ピン孔を嵌合することで連結され、前記導電部材が平板状に形成されていると共に、前記ピンあるいは前記ピン孔の周囲に位置させて前記側面板の各々に組み込まれていることを特徴とする請求項１あるいは請求項２記載のケーブル類保護案内装置。
【発明の詳細な説明】
【０００１】
【発明の属する技術分野】
この発明は、ケーブル類保護案内装置にかかわり、さらに詳しくは、産業用機械の可動部に電力や圧縮空気のエネルギーを供給するケーブルやホースなどのケーブル類を収容すると共に、可動部の移動中においてもケーブル類を安全にかつ確実に案内支持するのに好適な装置に関している。
【０００２】
【従来の技術】
この種のものは、例えば、左右一対の側面板の上縁及び下縁が横架されたリンク体を有し、隣り合うリンク体の側面板同士が幅方向で重なり合うと共に回転可能に連結され、複数の連結されたリンク体内に可撓性の収納空間を形成し、隣り合うリンク体の一方のリンク体同士の直線姿勢維持ストッパを形成すると共に、隣り合うリンク体の他方のリンク体の側面板に直線姿勢維持ストッパを当接する直線姿勢維持ストッパ面を形成し、隣り合うリンク体の側面板にリンク体同士の屈曲を制限する屈曲姿勢制限ストッパを形成すると共に、隣り合うリンク体の他方のリンク体の側面板に屈曲姿勢制限ストッパに当接する屈曲姿勢制限ストッパ面を形成した構造となっている。
【０００３】
ケーブル類は連結されたリンク体内に可撓性の収納空間に内挿されている。リンク体がある方向に回転すると、屈曲姿勢制限ストッパが屈曲姿勢制限ストッパに接触して、屈曲角度をある角度に制限し、そして、リンク体が反対方向に回転され、直線姿勢になると、直線姿勢制限ストッパと直線姿勢制限ストッパ面とが接触して、これ以上の回転を阻止している（例えば特許文献１を参照）。
【０００４】
【特許文献１】
特許第３１５７４９１号明細書
【０００５】
【発明が解決しようとする課題】
このようなケーブル類保護案内装置は、リンク体が合成樹脂からなっており、隣り合うリンク体の側面板同士が作動中常に摺接し、しかも、ケーブル類が側面板と摺接しているため、かなりの静電気が発生する。
このような静電気によってリンク体を帯電させないようにするためには、リンク体成形時に、リンク体を構成する合成樹脂に帯電防止剤を含有させると共に、ケーブル類保護案内装置の一部に接続されたアースに逃がすことが必要である。
【０００６】
しかしながら、側面板は、リンク体成形時のひけやリンク体成形後のそりや歪みなどが発生し易く、原料となる合成樹脂に帯電防止剤を含有させると、これらのひけ、そりがさらに増大する。
このようなひけ、そり、歪みは、リンク体を連結したときに、隣り合うリンク体の側面板同士の均一な接触を阻害し、側面板同士の摺接面積を小さくする。摺接面積が小さくなくなると、静電気が側面板を通じてアースに逃げ難くなって、リンク体に残留し、突然放電し、周囲にある機器を破損する。成形精度を高めたり、樹脂成形品の検査基準を高くして、側面板同士の摺接面積を一定に維持することで、側面板の静電気帯電を最小にすることができるが、製品歩留まりが低下し、製造コストが著しく増大する。
【０００７】
本発明の目的は、リンク体成形時のひけ、リンク体成形後のそりや歪みなどが側面板に存在して隣り合うリンク体の側面板と均一に接触しなくても、静電気を隣り合うリンク体の側面板に確実に逃がすことができ、しかも、これを低コストで製造することができる、改良されたケーブル類保護案内装置を提供することにある。
【０００８】
【課題を解決するための手段】
上記の目的を達成するために、本発明のケーブル類保護案内装置は、ケーブル類を内挿した状態で長手方向に屈曲自在に多数連結されたリンク体が、ケーブル類の両側に配置された一対の側面板と側面板の屈曲外周側および屈曲内周側にそれぞれ架橋された連結杆とによって構成され、側面板の各々が、隣り合うリンク体の側面板と摺接しているケーブル類保護案内装置において、少なくとも側面板が、導電性を有する合成樹脂によって構成されていると共に、隣り合う側面板との摺接部分に導電部材を配設されていることを特徴とする。
【０００９】
【作用】
本発明のケーブル類保護案内装置は、ケーブル類を内挿した状態で長手方向に屈曲自在に多数連結されたリンク体がケーブル類の両側に配置された一対の側面板と側面板の屈曲外周側および屈曲内周側にそれぞれ架橋された連結杆とによって構成され、側面板の各々が隣り合うリンク体の側面板と摺接しているケーブル類保護案内装置において、少なくとも側面板が、導電性を有する合成樹脂によって構成されていると共に、隣り合うリンク体の側面板との摺接部分に導電部材を配設されているため、各々のリンク体の側面板同士が屈曲によって摺動し、帯電しても、側面板を通じて、さらに導電部材を通じて、隣り合うリンク体の側面板に静電気を逃がし、それから、このケーブル類保護案内装置の一部に接続されたアースなどに逃がして、各々のリンク体を帯電させない。
さらに、各々のリンク体の導電部材は、各々のリンク体の側面板がリンク体成形時のひけやリンク体成形後のそりや歪みなどによって隣り合うリンク体の側面板と均一に接触しなくても、静電気を隣り合うリンク体の側面板に常に逃がし、各々のリンク体を帯電させない。
【００１０】
【発明の実施の形態】
本発明のある実施の形態において、側面板は摺接部分にピンを、隣り合うリンク体の前記側面板はピン孔を有し、リンク体の各々はピンとピン孔を嵌合することで連結され、導電部材は平板状に形成されていると共に、ピンの周囲に位置させて側面板の各々に組み込まれている。
【００１１】
このようなケーブル類保護案内装置も、各々のリンク体の側面板同士が屈曲によって摺動し、帯電しても、側面板を通じて、さらに導電部材を通じて、隣り合うリンク体の側面板に静電気を逃がし、それから、このケーブル類保護案内装置の一部に接続されたアースなどに逃がして、各々のリンク体を帯電させない。
そして、各々のリンク体の導電部材は、各々のリンク体の側面板がリンク体成形時のひけやリンク体成形後のそりや歪みなどによって隣り合うリンク体の側面板と均一に接触しなくても、静電気を隣り合うリンク体の側面板に常に逃がし、各々のリンク体を帯電させない。
【００１２】
以下に、図面を参照して、本発明のケーブル類保護案内装置の実施の形態としての実施例を説明する。
【００１３】
このケーブル類保護案内装置は、図１に示すように、ケーブル類を開放状態で収納する構造のものからなっている。
【００１４】
このケーブル類保護案内装置はリンク体１１、移動端金具１２および固定端金具１４を備えている。リンク体１１は、列状に並べられ、隣り合うリンク体１１とピン連結されている。移動端金具１２は、このリンク体列の前端に、固定端金具１４は後端に結合されている。ケーブル類１５はリンク体１１の内部空間１６によって形成されるトンネルに収容されている。
【００１５】
各々のリンク体１１は側面板２１および連結杆２２，２３からなっている。側面板２１は互いにスペースを形成して平行に配置されている。
一方の連結杆２２（以降、区別するために内側連結杆と称する）は側面板２１の屈曲内周側を架橋するように側面板２１の間に配置されている。内側連結杆２２は、側面板２１と共に合成樹脂の射出成形物からなっており、一体に成形されている。
他方の連結杆２３（以降、外側連結杆と称する）も、合成樹脂の射出成形物からなり、側面板２１の屈曲外周側を架橋するように、側面板２１の間に配置されている。しかし、この外側連結杆２３は、側面板２１に着脱可能に取り付けられている。
【００１６】
側面板２１は、側面から見た形状が繭状をなしている。側面板前部の内面間の幅は側面板後部の外面間幅よりも僅かに広い。
【００１７】
側面板２１の前部にはピン孔２５が設けてある。側面板２１の後部外側面にはピン孔２５に対応する直径をもつピン２６が一体に形成されている。
【００１８】
側面板２１の内側面には、図４および図５に示すように、段壁２７〜２９が設けられている。段壁２９の前縁は、ピン孔２５と中心軸を共有する幅狭い円筒面あるいは円弧面３１となっている。
側面板２１の外側面には、段壁３２，３３が設けられている。段壁３２の後縁は、ピン２６と中心軸を共有する幅狭い円筒面あるいは円弧面３４に形成されている。
【００１９】
各々のリンク体１１は、図３に示すように、段壁２８を前方にある隣り合うリンク体１１の段壁３３に、ピン孔２５を前方にある隣り合うリンク体１１のピン２６に、そして、段壁３３を後方にある隣り合うリンク体１１の段壁２８に、ピン２６を後方にある隣り合うリンク体１１のピン孔２５にそれぞれ嵌められていることによって連結されている。
このため、各々のリンク体１１は、隣り合うリンク体１１に対してピン２６を中心に回転あるいは屈曲することができる。
【００２０】
ケーブル類１５は、図１に示すように、側面板２１の間に配置された仕切り部材２０が、内部空間１６に形成する分割空間の各々によって形成されたトンネルに配置されている。
ケーブル類１５の組み込みは、例えば、すべてのリンク体１１の外側連結杆２３を開け、ケーブル類１５をトンネルに挿入したあと、外側連結杆２３を閉じることによってなされる。
【００２１】
このケーブル類保護案内装置において、側面板２１および内側連結杆２２は、前述のように合成樹脂成形物からなっているが、炭素繊維のような導電材を含有する導電性合成樹脂成形物からなっている。
各々の側面板２１は、隣り合うリンク体１１の側面板２１と接触しているため、リンク体１１は連結された状態において互いに電気的に接続している。
【００２２】
さらに、各々のリンク体１１には、図２〜４によく示されているように、隣り合うリンク体１１との摺接部分に導電部材を組み込まれている。導電部材は参照符号３５で示されている。導電部材自体は、リングの形態をなしており、例えば金属薄板をプレス加工することでつくられている。
この導電部材３５は、各々のリンク体１１を構成する側面板２１のピン２６に嵌まっている。組み込みは、導電部材３５の表面を側面板２１の表面から僅かに突出させて、側面板２１および内側連結杆２２と一緒にインサート成形することでなされている。
リンク体同士がつながれると、各々の導電部材３５は外表面が隣り合うリンク体１１の段壁２８の表面に接触している。
【００２３】
このケーブル類保護案内装置は、例えば、横中ぐり盤と付属装置とを接続するケーブル類保護案内装置として使用される。ケーブル類１５は、主軸ヘッドにある電動機と電源装置とを接続する電源ケーブルや、主軸ヘッド上のクーラントノズルとクーラントタンクとを接続するホースである。
【００２４】
移動端金具１２は、図１に示すように、Ｌ字状をなす、リンク体１１と同じ材質からなっている。取り付け片３６にあるピン３７がリンク体列の一端にあるリンク体１１の側面板２１にあるピン孔２５に嵌められ、固定片３８が主軸ヘッドにボルト締結されている。固定端金具１４も、Ｌ字状をなす、リンク体１１と同じ材質からなっている。
取り付け片４１にある孔４２が他端にあるリンク体１１の側面板２１のピン２６に嵌められ、固定片４３が横中ぐり盤のベッドあるいはコラムにボルト締結されている。
【００２５】
接地は、例えば、固定端金具１４を電源装置のアースや専用アースに接続することによってなされる。
【００２６】
主軸ヘッドが移動すると、ストロークに応じてリンク体１１が直線移動および屈曲を行ない、ケーブル類１５の長さを調整する。このときに、側面板２１と隣り合うリンク体１１の側面板２１とが擦れ、静電気が発生する。しかし、各々のリンク体１１は、導電性合成樹脂からなるため、隣り合うリンク体１１を経由して固定端金具１４からアースに静電気を逃がすことができる。
【００２７】
さらに、リンク体成形時のひけ、リンク体成形後の歪みやそりなどにより、リンク体１１と隣り合うリンク体１１との接触面積が小さくなることがあっても、導電部材３５が隣り合うリンク体１１の側面板２１にある段壁２８に接触して、リンク体１１と隣り合うリンク体１１とがつねに電気的に接続されているため、静電気を固定端金具１４を通じて確実に逃がすことができる。
【００２８】
さらに、導電部材３５が平滑な表面をもつ金属板からなり、硬度が合成樹脂からなる側面板２１よりも高いため、側面板２１の表面が粗くても、側面板２１の表面が摩耗して導電部材３５になじみ、リンク体１１の屈曲抵抗が小さい。
このため、リンク体１１の側面板２１が常に円滑に屈曲し、側面板同士の摺動による騒音も低減する。
【００２９】
さらに、導電部材３５は、隣り合うするリンク体１１の側面板２１の間に位置し、外部に露出しておらず、錆びたり、汚れが付着しにくいため、導電性能を長期にわたって維持することができる。
【００３０】
そして、導電部材３５は、金属薄板の打ち抜き加工物からなり、リンク体１１に対する組み込みをインサート成形によって行なえるため、製造工程を大きく変えることなしに、低コストでもって、これらの効果を得ることができる。
【００３１】
なお、このケーブル類保護案内装置では、これらの作動に際して、各々のリンク体１１には屈曲角あるいは回転角を制限するための機構が組み込まれている。
この機構は、特許第３１５７４９１号明細書に記載されているものと同様な構成を有している。機構自体は、各々のリンク体１１の側面板２１の前部内面を形成する段壁２８に設けた矢状突起４４およびフラットな規制面４５と、側面板２１の後部外面を形成する段壁３３に設けた鉤状突起４６および扇形凹み４７とからなっている。
【００３２】
各々のリンク体１１が隣り合うリンク体１１に連結されたときに、矢状突起４４は前方にあるリンク体１１の扇形凹み４７の一端に接触し、鉤状突起４６は前方にあるリンク体１１の規制面４５に接触している。
前方にあるリンク体１１が図５に示すようにピン２６を中心に屈曲されると、規制面４５は前方にあるリンク体１１の鉤状突起４６から離れ、矢状突起４４が前方にあるリンク体１１の扇形凹み４７を摺動し、扇形凹み４７の反対部分に接触する。前方にあるリンク体１１はこの接触によって回転角あるいは屈曲角を制限される。
また、前方にあるリンク体１１がピン２６を中心に反対方向に回転されると、矢状突起４４が、前方にあるリンク体１１の扇形凹み４７を摺動し、この扇形凹み４７の元の部分に接触し、規制面４５が、前方にあるリンク体１１の鉤状突起４６に接触して、前方にあるリンク体１１が、直線状態以上に屈曲するのを阻止される。
【００３３】
以上説明した実施例において、導電部材３５は金属薄板からなっているが、導電性をもつ他の材質からなっていてもよく、また、配置についても、必要に応じて、ピン孔２５の周囲のみに、あるいはピン２６およびピン孔２５の周囲の双方に設けてもよい。
【００３４】
また、導電部材３５は、円形リング状をなしているが、楕円リングや多角形リングなどの他の形状からなっていてもよく、さらに、複数部分によって構成し、ピン２６の周囲の全部あるいは一部に配置してもよく、ピン孔２５の周囲の全部あるいは一部に配置してもよい。
【００３５】
また、側面板２１および外側連結杆２３からなるリンク体１１は、炭素繊維を含有する合成樹脂からなっているが、金属粉のような他の導電性粒子を含有する合成樹脂であってもよく、さらに合成樹脂自体が導電性をもつものであってもよい。
さらに、リンク体１１の全てが導電性をもつ合成樹脂からなっているが、構造に応じて、側面板２１のみが導電性をもつ合成樹脂からなっていてもよい。
【００３６】
そして、リンク体１１をピン連結した構造、つまり各々のリンク体１１のピン２６を前方にある隣り合うリンク体のピン孔に、ピン孔２５を後方にある隣り合うリンク体のピンに嵌めた構造からなっているが、本発明はこのような構造のみに限定されず、他の構造を採用することができる。
【００３７】
【発明の効果】
以上述べたように、本発明のケーブル類保護案内装置は、ケーブル類を内挿した状態で長手方向に屈曲自在に多数連結されたリンク体が、ケーブル類の両側に配置された一対の側面板と側面板の屈曲外周側および屈曲内周側にそれぞれ架橋された連結杆とによって構成され、側面板の各々が、隣り合うリンク体の側面板と摺接しているケーブル類保護案内装置において、少なくとも側面板が、導電性を有する合成樹脂によって構成されていると共に、隣り合うリンク体の側面板との摺接部分に導電部材を配設され、各々のリンク体の側面板同士が屈曲によって摺動し、帯電しても、側面板を通じて、さらに導電部材を通じて、隣り合うリンク体の側面板に静電気を逃がし、それから、このケーブル類保護案内装置の一部に接続されたアースなどに逃がして、各々のリンク体を帯電させず、さらに、各々のリンク体の側面板がリンク体成形時のひけやリンク体成形後のそりや歪みなどによって、隣り合うリンク体の側面板と均一に接触しなくても、各々のリンク体の導電部材が静電気を隣り合うリンク体の側面板に常に逃がし、各々のリンク体を帯電させないため、リンク体成形時のひけやリンク体成形後のそりや歪みなどが側面板にあっても、静電気帯電のないケーブル類保護装置を低コストで製造することができる。
【図面の簡単な説明】
【図１】本発明のケーブル類保護案内装置の一実施例を示す分解斜視図。
【図２】図１に示すケーブル類案内装置を構成する連結部材の側面図。
【図３】図１に示すケーブル類保護案内装置を構成する連結部材の連結状態を示す、一部を省略された平面図。
【図４】図１に示すケーブル類保護案内装置を構成する連結部材におけるリンクプレートおよび連結杆の斜視図。
【図５】図４の５−５線に沿う一部を省略された連結部材の側面図。
【符号の説明】
１１        ・・・リンク体
１２        ・・・移動端金具
１４        ・・・固定端金具
１５        ・・・ケーブル類
１６        ・・・内部空間
２１        ・・・側面板
２２，２３  ・・・連結杆
２５        ・・・ピン孔
２６        ・・・ピン
３５        ・・・導電部材
【図１】
0003722482.tif 000002
【図２】
0003722482.tif 000003
【図３】
0003722482.tif 000004
【図４】
0003722482.tif 000005
【図５】
0003722482.tif 000006